(57)【要約】【課題】ネガティブタイプのディスクブレーキ装置において、ディスクブレーキ装置のスリム化を図り、ディスクブレーキ装置の設置位置の自由度を向上させることのできるディスクブレーキ装置を提供する。【解決手段】キャリパボディ１２に形成されたシリンダ２０内に配置されたピストン２８が、作動ばね３６からの押圧力を受けることによりピストン側パッド５０を押圧するディスクブレーキ装置１０であって、ピストン２８の押圧力を回動力の入力により解除するカム部４４と、を備え、キャリパボディ１２における作動ばね３６を配置したボディ本体１４とブリッジ部１６を介して連結される爪部１８には、カム部４４に回動力を入力するエアチャンバ６２が備えられることを特徴とする。【選択図】図３
2019203605.tif 000002
【特許請求の範囲】
【請求項１】
キャリパボディに形成されたシリンダ内に配置されたピストンが、作動ばねからの押圧力を受けることによりブレーキパッドを押圧するディスクブレーキ装置であって、
前記ピストンの押圧力を回動力の入力により解除するカム部を備え、
前記キャリパボディにおける前記作動ばねを配置したボディ本体とブリッジ部を介して連結される爪部には、前記カム部に回動力を入力するアクチュエータが備えられることを特徴とするディスクブレーキ装置。
【請求項２】
前記作動ばねは、積層配置された皿ばねとし、
前記皿ばねの中心に設けられた貫通孔には、前記キャリパボディに対してロータの軸方向に摺動自在となるように両端を支持された保持軸が配置されていることを特徴とする請求項１に記載のディスクブレーキ装置。
【請求項３】
前記カム部の回動力入力部と前記アクチュエータは、前記キャリパボディに設けられた孔部を挿通する連結部材によって連結されていることを特徴とする請求項１または２に記載のディスクブレーキ装置。
【請求項４】
前記アクチュエータは、前記連結部材をエアの力で作動させるエアチャンバであることを特徴とする請求項３に記載のディスクブレーキ装置。
【請求項５】
前記アクチュエータは、前記連結部材を介して、前記回動力入力部に前記押圧力を解除する方向の作動力を与えるモータギアユニットであることを特徴とする請求項３に記載のディスクブレーキ装置。
【請求項６】
前記モータギアユニットには、当該モータギアユニットの稼働により回動するボールねじと、前記ボールねじに沿って移動するボールナットが付帯され、
前記ボールナットによって前記連結部材が押し出される構成としたことを特徴とする請求項５に記載のディスクブレーキ装置。
【請求項７】
前記保持軸は前記ピストンとの間に螺合部を有し、
前記保持軸の端部のうちの一方は、前記ピストンを介して前記キャリパボディに摺動すると共に、前記螺合部を介して前記ブレーキパッドとの隙間を調整可能な構成としたことを特徴とする請求項２、または請求項２を引用する請求項３乃至６のいずれか１項に記載のディスクブレーキ装置。
【発明の詳細な説明】
【技術分野】
【０００１】
本発明は、ディスクブレーキ装置に係り、特に、ネガティブタイプと呼ばれる非作動時に制動力を生じさせるタイプのディスクブレーキ装置に関する。
【背景技術】
【０００２】
産業機械などで、回転体の保持にディスクブレーキ装置が用いられる際、皿ばねの荷重を直接制動力に用いるネガティブタイプのディスクブレーキ装置では、制動力の解除に油圧の力を利用するものが一般的に知られている。ところが、ネガティブタイプのディスクブレーキ装置全体のシステムとしては、油圧機構を採用するためのスペースや配管を排除し、小型簡易化を図ることが望まれている実状がある。
【０００３】
ここで、ディスクブレーキ装置において、油圧以外の手段により、ピストンに力を作用させる方法として、特許文献２や、特許文献３に開示されているような、カムを用いた技術が知られている。特許文献２に開示されているディスクブレーキ装置では、ピストンの側面に設けられた貫通孔に偏芯カムシャフトを配置し、偏心カムシャフトを回動させることで、ピストンに押圧力を与える構成が採られている。また、特許文献３に開示されているディスクブレーキ装置では、ピストンの後端にカムレバーを配置し、このカムレバーを回動させることにより、ピストンを押し出し、押圧力を与える構成が採られている。
【先行技術文献】
【特許文献】
【０００４】
【特許文献１】実開昭５２−１１３１８７号公報
【特許文献２】特開２０１１−２７１３２号公報
【特許文献３】特表平１０−５０７８１１号公報
【発明の概要】
【発明が解決しようとする課題】
【０００５】
本発明では、ネガティブタイプのディスクブレーキ装置において、ディスクブレーキ装置のスリム化を図り、ディスクブレーキ装置の設置位置の自由度を向上させることのできるディスクブレーキ装置を提供することを目的とする。
【課題を解決するための手段】
【０００６】
上記目的を達成するための本発明のディスクブレーキ装置は、キャリパボディに形成されたシリンダ内に配置されたピストンが、作動ばねからの押圧力を受けることによりブレーキパッドを押圧するディスクブレーキ装置であって、前記ピストンの押圧力を回動力の入力により解除するカム部を備え、前記キャリパボディにおける前記作動ばねを配置したボディ本体とブリッジ部を介して連結される爪部には、前記カム部に回動力を入力するアクチュエータが備えられることを特徴とする。
【０００７】
また、上記特徴を有するディスクブレーキ装置において、前記作動ばねは、積層配置された皿ばねとし、前記皿ばねの中心に設けられた貫通孔には、前記キャリパボディに対してロータの軸方向に摺動自在となるように両端を支持された保持軸が配置されているようにすると良い。
【０００８】
このような特徴を有することによれば、積層配置された皿ばねにずれが生ずる虞が無く、保持軸によるピストン等の位置調整が可能となる。
【０００９】
また、上記特徴を有するディスクブレーキ装置において前記カム部の前記回動力入力部と前記アクチュエータは、前記キャリパボディに設けられた孔部を挿通する連結部材によって連結されているようにすると良い。
【００１０】
このような特徴を有することによれば、可動部を外部に晒すことが無くなる。よって、塵埃の付着等により動作不良を生じさせる虞が無い。
【００１１】
また、上記特徴を有するディスクブレーキ装置において前記アクチュエータは、前記連結部材をエアの力で作動させるエアチャンバとすることができる。
このような特徴を有することによれば、カム部の回動力入力部を稼働させるアクチュエータの構成を簡単化することができる。また、エアチャンバの動作により連結部材を作動させるため、応答性が良い。
【００１２】
また、上記特徴を有するディスクブレーキ装置において前記アクチュエータは、前記連結部材を介して、前記回動力入力部に前記押圧力を解除する方向の作動力を与えるモータギアユニットとすることもできる。
【００１３】
このような特徴を有することによれば、アクチュエータ周りの配管を無くすことができる。また、アクチュエータを作動させるための流体を貯留するタンクやコンプレッサを排除することができる。
【００１４】
また、上記特徴を有するディスクブレーキ装置において前記モータギアユニットには、当該モータギアユニットの稼働により回動するボールねじと、前記ボールねじに沿って移動するボールナットが付帯され、前記ボールナットによって前記連結部材が押し出される構成とすることができる。
【００１５】
このような特徴を有することにより、モータギアユニットの発生トルクが小さい場合であっても、作動ばねの押圧力を解除することが可能となる。
【００１６】
また、上記のような特徴を有するディスクブレーキ装置では、前記保持軸は前記ピストンとの間に螺合部を有し、前記保持軸の端部のうちの一方は、前記ピストンを介して前記キャリパボディに摺動すると共に、前記螺合部を介して前記ブレーキパッドとの隙間を調整可能な構成とすると良い。
【００１７】
このような特徴を有することによれば、ブレーキパッドが摩耗し、ロータとパッドとの隙間が大きくなった場合であっても、ピストンの摺動範囲が適正位置となるように、調整することができる。
【発明の効果】
【００１８】
上記特徴を有するディスクブレーキ装置によれば、ディスクブレーキ装置のスリム化を図ることができる。よって、ディスクブレーキ装置の設置位置の自由度を向上させることができる。
【図面の簡単な説明】
【００１９】
【図１】第１の実施形態に係るディスクブレーキ装置の正面構成を示す図である。
【図２】第１の実施形態に係るディスクブレーキ装置の右側面の構成を示す図である。
【図３】図１におけるＡ−Ａ矢視を示す部分断面図である。
【図４】図２におけるＢ−Ｂ矢視を示す部分断面図である。
【図５】カム機構の説明を行うための部分拡大図である。
【図６】第１の実施形態に係るディスクブレーキ装置の構成を示す分解斜視図である。
【図７】第２の実施形態に係るディスクブレーキ装置の構成を示す部分断面図である。
【図８】第２の実施形態に係るディスクブレーキ装置の構成を示す部分分解斜視図である。
【図９】第３の実施形態に係るディスクブレーキ装置の構成を示す斜視図である。
【図１０】図９におけるＡＢＣＤ断面の構成を示す断面図である。
【図１１】図９におけるＥＦＧＨ断面の構成において、ブレーキが作動している状態を示す断面図である。
【図１２】図９におけるＥＦＧＨ断面の構成において、ブレーキが解除されている状態を示す断面図である。
【図１３】図９におけるＥＦＧＨ断面の構成において、ボールナット及びナットホルダのみを引き戻した状態を示す断面図である。
【発明を実施するための形態】
【００２０】
以下、本発明のディスクブレーキ装置に係る実施の形態について、図面を参照して詳細に説明する。なお、図面において、図１は、第１の実施形態に係るディスクブレーキ装置の正面構成を示す図である。また、図２は、図１における右側面の構成を示す図である。図３は、図１におけるＡ−Ａ矢視を示す部分断面図である。図４は、図２におけるＢ−Ｂ矢視を示す部分断面図である。また、図５は、カム機構の説明をするための部分拡大図である。さらに、図６は、第１の実施形態に係るディスクブレーキ装置の構成を示す分解斜視図である。
【００２１】
第１の実施形態に係るディスクブレーキ装置１０は、外観上、キャリパボディ１２と２つのブレーキパッド（ピストン側パッド５０、爪側パッド５６）、およびエアチャンバ６２を有することを基本として構成され、サポート６６を介して図示しない固定部に支持される。
【００２２】
キャリパボディ１２は、ボディ本体１４と、爪部１８、およびブリッジ部１６を有することを基本としている。ボディ本体１４には、シリンダ２０と支持部２２が設けられ、ロータ７０との対向面と反対側に位置する側面にケース２４が備えられることで、内部空間としてのボア２６が構成される。シリンダ２０には、詳細を後述するピストン２８の摺動部３０が配置される。また、ボア２６には、作動ばね３６やカム機構４２などが配置される。
【００２３】
実施形態に係るピストン２８は、摺動部３０と連動部３２とから構成され、連動部３２の外周には、反力受け３４が突設されている。反力受け３４は、作動ばね３６による押圧力を解除するための反力が加えられる部位であり、ボディ本体１４に設けられた支持部２２に対向する位置に配置される。このような配置構成とした場合、支持部２２を基点として反力受け３４を押圧することで、作動ばね３６による押圧力を解除することが可能となる。また、連動部３２の側部には、突出方向に沿って形成された平坦面３２ａが設けられている（図６参照）。この平坦面３２ａに、支持部２２に支えられた詳細を後述するカム部４４ｂが当接することで、ピストン２８の回り止めとしての役割を担うこととなる。
【００２４】
摺動部３０の内周側には、雌ねじを設けた貫通孔３０ａが形成されており、この貫通孔３０ａの雌ねじには、アジャストピン３８が螺合している。アジャストピン３８は、ブレーキパッドであるピストン側パッド５０や爪側パッド５６が摩耗した際の隙間を調整し、ピストン２８が適正な稼働範囲に位置するように調整する役割を担うと共に、後述する作動ばね３６としての皿ばねを積層保持するための保持軸としての役割も担う。アジャストピン３８の一方の端部は、ピストン側パッド５０に当接し、他方の端部は、ケース２４の外部に突出する長さを持つように構成されている。よって、アジャストピン３８は、ピストン２８の摺動部３０と連動部３２の双方をピストン２８の軸方向に貫通して配置されている。このため、アジャストピン３８は、ピストン２８を介して、キャリパボディ１２に対し、ロータ７０の軸方向に、摺動自在に両端部を支持されることとなる。
【００２５】
作動ばね３６は、ピストン２８を押圧するための押圧手段である。本実施形態では、ピストン２８に螺合するアジャストピン３８の他方の端部を挿通させる皿ばねを複数、積層して配置する構成としている。作動ばね３６は、ピストン２８における摺動部３０と、ボア２６を構成するケース２４の内周面との間に配置される。作動ばね３６の押圧力は、ボディ本体１４にケース２４を固定した後、ケース２４の端部に螺合させる調整ボルト４０により調整する。調整ボルト４０は、その先端をケース２４の内部に突出させており、ボルト頭を締め込むことにより、作動ばね３６を押圧して作動ばね３６の反発力（パッド押圧力）を増幅させる。
【００２６】
カム機構４２は、キャリパボディ１２のボディ本体１４における支持部２２と、ピストン２８の連動部３２における反力受け３４との間で、支持部２２を基点として反力受け３４を押し戻す作用を担う要素である。本実施形態のカム機構４２は、カム部４４とレバー部４６とを基本として構成している。カム部４４は、ピストン２８を介して一対設けられた２つの反力受け３４のそれぞれに対応するように設けられている。
【００２７】
実施形態に係るカム部４４は、回転中心となるカム外周部４４ｂと、カム外周部４４ｂの内周側に配置される円筒状のピン４４ａとから成る。ピン４４ａは、カム外周部４４ｂの幅に合わせた長さを有する。また、カム外周部４４ｂは、指示部２２との摺動面として、ピン４４ａを中心とした円弧面を備える。そして、カム外周部４４ｂは、その厚みを円弧面に沿って異ならせているため、ピン中心から円弧面までの距離は、連続的に変化している。図５中に示す中心点Ｏからの距離を示すｒ１〜ｒ３は、ｒ１＜ｒ２＜ｒ３の関係が成り立っている。
【００２８】
このような構成とすることで、支持部２２と反力受け３４との間に位置するカム外周部４４ｂの厚みを変化させるように動かすことで、両者の間の距離を変化させることができる。すなわち、支持部２２と反力受け３４との間に、カム外周部４４ｂの厚みが薄いｒ１側の部位が配置されている場合には、詳細を後述するピストン側パッド５０には、作動ばね３６による押圧力が働くこととなる。一方、支持部２２と反力受け３４との間に、カム外周部４４ｂの厚みが厚いｒ３側の部位が配置されている場合には、ピストン側パッド５０に作用していた作動ばね３６による押圧力が解除されることとなる。なお、実施形態に係るカム部４４は、組付状態において、ロータ７０の半径方向外周側に位置する部位の厚みを薄くし、ロータ７０の半径方向内周側に位置する部位の厚みが厚くなるように、連続的に厚みを異ならせる構成としている。
【００２９】
なお、本実施形態では、カム部４４における支持部２２との接触点Ｐ１と、反力受け３４との接触点Ｐ２との間の幅ｄが、ピン４４ａの直径よりも小さくなるように構成されている。力の伝達を効率良く行うためである。
【００３０】
カム外周部４４ｂにおける厚みが薄い部位（ロータ７０の半径方向外周側に位置する部位）には、ピストン２８を跨いで２つのカム外周部４４ｂを接続するレバー部４６が接続されている。レバー部４６は、ロータ７０の軸方向に傾倒させることにより、偏心部材４４ｂを回動させる回動力入力部としての役割を担う。本実施形態では、レバー部４６をロータ７０から離間させる方向へ傾倒させることで、作動ばね３６による押圧力を解除させる方向にカム外周部４４ｂを回動させることができる。
【００３１】
また、本実施形態では、支持部２２とカム外周部４４ｂ、偏心部材４４ｂとピン４４ａの間にそれぞれ摺動部材４８を配置し、摺動時の抵抗軽減を図っている。摺動部材４８としては、コロのついた軸受けのようなものであっても良いし、オイレス軸受けのようなものであっても良く、特に限定をするものではない。
【００３２】
なお、ボディ本体１４におけるロータ７０との対向面には、ピストン側パッド５０が配置されている。ピストン側パッド５０は、摩擦部材であるライニング５２と、鋼板により構成されているプレッシャプレート５４とを基本として構成されており、アジャストピン３８は、プレッシャプレート５４に当接されている。
【００３３】
爪部１８は、ボディ本体１４と対向して配置され、ピストン２８を介した押圧力を受け止め、ピストン側パッド５０と爪側パッド５６との間にロータ７０を挟み込む役割を担う。このため、爪部１８におけるロータ７０との対向面には、爪側パッド５６が配置されることとなる。爪側パッド５６は、上述したピストン側パッド５０と同様に、ライニング５８とプレッシャプレート６０を基本として構成され、プレッシャプレート６０が、爪部１８に締結されている。
【００３４】
また、本実施形態に係るディスクブレーキ装置１０では、爪部１８の外周側、すなわち、ロータ７０を配置した側面と反対側に位置する側面に、カム機構４２におけるレバー部４６に作動力を入力するためのアクチュエータとしてのエアチャンバ６２が配置されている。爪部１８側の外周部にエアチャンバ６２を設けることで、ボディ本体１４やブリッジ部１６のスリム化を図ることができる。エアチャンバ６２は、そのロッド６４をカム機構４２のレバー部４６に連結することで、ロッド６４の伸縮に応じてカム機構４２を稼働させることが可能となる。
【００３５】
ブリッジ部１６は、ボディ本体１４と爪部１８とを、ロータ７０を跨いで連結する役割を担う。本実施形態におけるブリッジ部１６には、ロータ７０の軸方向に沿って貫通孔１６ａが設けられている。貫通孔１６ａは、爪部１８の外周と、ボディ本体１４に構成されるボア２６とを連通するものであり、エアチャンバ６２におけるロッド６４を挿通させる。
【００３６】
このような構成とすることで、可動部であるカム機構４２やロッド６４を外部に晒すことが無い。このため、可動部や摺動部に塵埃が付着し、動作を妨げるといった事態を生じさせる虞が無い。
【００３７】
上記のような構成のディスクブレーキ装置１０では、非稼働状態では、作動ばね３６の作用によりピストン２８に押圧力が付与されている。このため、ピストン２８に螺合しているアジャストピン３８がピストン側パッド５０のプレッシャプレート５４を押圧し、ピストン側パッド５０のライニング５８がロータ７０の摺動面に押し付けられている。
【００３８】
ピストン側パッド５０のライニング５８がロータ７０の摺動面に押し付けられると、押圧に対する反力により、キャリパボディ１２におけるボディ本体１４が、ロータ７０から離間する方向にスライドする。この時、爪部１８は、ロータ７０を跨ぐブリッジ部１６によりボディ本体１４と連結されているため、ロータ７０に近接する方向へスライドする。
【００３９】
このため、爪部１８のロータ７０との対向面に配置された爪側パッド５６のライニング５８が、ロータ７０の摺動面に押し付けられることとなる。このような作用により、ロータ７０は、ピストン側パッド５０と爪側パッド５６により挟持された状態となり、制動力が働いた状態を維持することとなる。
【００４０】
次に、アクチュエータであるエアチャンバ６２を稼働させると、ロッド６４がボディ本体１４側へ突出する。ロッド６４の突出に伴い、カム機構４２のレバー部４６が矢印ａ（図３参照）の方向へ傾倒する。レバー部４６が傾倒すると、ピン４４ａの中心Ｏを基点として偏心部材が矢印ｂ（図３参照）の方向へ回動し、その厚みの変化によって、反力受け３４を矢印ｃ（図３参照）の方向へ押し戻す。反力受け３４の押し戻しにより、ピストン２８が作動ばね３６の押圧力を解除する方向に摺動する。これにより、アジャストピン３８により押圧されていたピストン側パッド５０の押し付け、および爪側パッド５６の押し付けが解除される。
【００４１】
本実施形態に係るディスクブレーキ装置１０によれば、カム機構４２の作用により、油圧を用いる事無く作動ばね３６の押圧力を解除することができる。また、カム機構４２は、偏心部材４４ｂの厚み方向に作動ばね３６の押圧力を受けることとなる。このため、従来技術に開示されていたカム機構のように、回転軸の側面に押圧力を受ける場合に比べ、カム機構４２の耐久性を向上させることができる。
【００４２】
次に、図７、図８を参照して、本発明のディスクブレーキ装置に係る第２の実施形態について説明する。本実施形態に係るディスクブレーキ装置１０Ａの殆どの構成は、上述した第１の実施形態に係るディスクブレーキ装置１０と同様である。よって、その構成を同一とする箇所には、図面に同一符号を付して、詳細な説明は省略することとする。
【００４３】
本実施形態に係るディスクブレーキ装置１０Ａでは、カム機構４２の配置形態を第１の実施形態と異ならせている。具体的には、第１の実施形態に係るディスクブレーキ装置１０では、偏心部材４４ｂの円弧をボディ本体１４側に向けて配置し、ピン４４ａを反力受け３４に当接させる配置形態としていた。これに対し、本実施形態に係るディスクブレーキ装置１０Ａでは、偏心部材４４ｂの円弧を反力受け３４側に向けて配置し、ピン４４ａを支持部２２に当接させる配置形態としている。
【００４４】
カム機構４２をこのような配置形態とする場合、レバー部４６を傾倒させた際のカム部４４の回動による作用が逆となる。このため、本実施形態のカム部４４は、ロータ７０の半径方向外周側に位置する部位の厚みを厚くし、ロータ７０の半径方向内周側に位置する部位の厚みを薄くするように構成している。そして、厚みが厚い部位に、レバー部４６が接続されている。
【００４５】
また、偏心部材４４ｂとピン４４ａの配置形態の違いに伴い、支持部２２と反力受け３４における当接面の形態も異ならせている。カム外周部４４ｂやピン４４ａの配置状態を安定させるためである。また、本実施形態では、支持部２２がボディ本体１４と別体となるように構成されている。そして、ボディ本体１４に配置された支持部２２が、ピストン２８における連動部３２の側部に、突出方向に沿って形成された平坦面３２ａに対して当接する構成としている。このため、支持部２２は、ピストン２８の回り止めとしての役割を担うこととなる。
【００４６】
カム機構４２の構成をこのようなものとした場合であっても、上記第１の実施形態に係るディスクブレーキ装置１０と同様な効果を得ることができる。なお、その他の構成作用、効果については、上述した第１の実施形態に係るディスクブレーキ装置１０と同様である。
【００４７】
次に、図９から図１３を参照して、本発明のディスクブレーキ装置に係る第３の実施形態について説明する。なお、図９は、実施形態に係るディスクブレーキ装置の構成を示す斜視図であり、図１０は、図９におけるＡＢＣＤ断面の構成を示す図である。また、図１１から図１３は、図１０におけるＥＦＧＨ断面の構成を示す図である。
【００４８】
本実施形態に係るディスクブレーキ装置１０Ｂの殆どの構成は、上述した第１、第２の実施形態に係るディスクブレーキ装置１０，１０Ａと同様である。よって、その構成を同一とする箇所には、図面に同一符号を付して、詳細な説明は省略することとする。
【００４９】
本実施形態に係るディスクブレーキ装置１０Ｂでは、アクチュエータの構成を、上述した第１、第２の実施形態に係るディスクブレーキ装置１０，１０Ａと異ならせている。具体的には、本実施形態に係るディスクブレーキ装置１０Ｂでは、アクチュエータをモータギアユニット８０とし、このモータギアユニット８０にボールねじユニット９０を付帯させることで、カム機構４２を構成するレバー部４６との連結部材であるロッド６４を押し引きする構成としている。
【００５０】
モータギアユニット８０は、モータ８２と、このモータ８２の回転力を後述するボールスクリュ９２に伝達するためのギアユニット８４とを有する。ギアユニット８４は、ケーシング８６内に配置された複数のギアから構成され、ギア比を変える事により、ボールスクリュ９２を回動させるためのトルクを発生させている。
【００５１】
ボールねじユニット９０は、ボールスクリュ９２とボールナット９４、電磁石９６、電磁石プレート９８、およびケーシング１００を基本として構成されている。ボールスクリュ９２は、上述したモータギアユニット８０から、モータ８２の回転力を伝達される回転軸である。ボールナット９４は、ボールスクリュ９２が回動する事により、ボールスクリュ９２の軸線方向に沿ってボールスクリュ９２上を移動するスライダである。このような機構を採用することで、モータ８２およびギアユニット８４により発生されるトルクが小さなものであっても、ボールスクリュ９２を回動させ、作動ばね３６の押圧力を解除することが可能となる。
【００５２】
実施形態に係るボールナット９４には、ナットホルダ９４ａが付帯されている。ナットホルダ９４ａは、ボールナット９４の動作と共に移動し、電磁石プレート９８を押圧する役割と共に、ケーシング１００とナットホルダ９４ａとの間に配置されるプリセットスプリング９４ｂの押圧力を受ける役割を担う。プリセットスプリング９４ｂは、ボールナット９４をモータギアユニット８０を配置している側へ移動させた際、モータ８２への電力供給が絶たれる事で、ナットホルダ９４ａを押し戻し、ボールナット９４を初期位置に回帰させる役割を担う。
【００５３】
電磁石９６は、ボールねじユニット９０におけるキャリパボディ１２を配置している側に設けられており、電磁石プレート９８を吸着させる役割を担う。電磁石プレート９８は、電磁石９６の稼働により吸着される磁性体により構成された平板であれば良い。また、電磁石プレート９８は、ロッド６４が締結されたプレートであり、電磁石プレート９８がボールスクリュ９２の軸線方向に移動することで、ロッド６４の押し出し、または引き戻しが成されることとなる。電磁石９６とケーシング１００との間には、ナットホルダ９４ａ、および電磁石プレート９８を貫通するように、ガイドスタッド１００ａが配置されている。なお、上述したプリセットスプリング９４ｂをナットホルダ９４ａとケーシング１００の間に配置する際、ガイドスタッド１００ａを囲繞するように配置すると良い。
【００５４】
なお、ケーシング１００は、上述したボールスクリュ９２、ボールナット９４、ナットホルダ９４ａ、電磁石９６、電磁石プレート９８、プリセットスプリング９４ｂ、およびガイドスタッド１００ａを収容する外郭である。
【００５５】
このような構成のディスクブレーキ装置１０Ｂでは、図１１に示すような、ナットホルダ９４ａと電磁石プレート９８が共に初期位置（モータギアユニット８０配置側）に位置している状態が、作動ばね３６の押圧力が作用している状態、すなわちブレーキが作動している状態となる。このような状態から、モータ８２を駆動させてモータギアユニット８０を稼働させる事で、ボールねじユニット９０におけるボールスクリュ９２を正転方向（例えば右回転）へ回動させる。これにより、ボールナット９４がボールスクリュ９２の軸線方向に沿って電磁石９６の配置方向へ移動する。この時、ボールナット９４に付帯されたナットホルダ９４ａが電磁石プレート９８を押圧する。これにより、ロッド６４が押し出され、カム機構４２が稼働し、作動ばね３６の押圧力を解除が解除され、ブレーキが解除されることとなる。
【００５６】
図１２に示すように、電磁石プレート９８を電磁石９６まで押圧した際、電磁石９６に電力が供給されていると、電磁石プレート９８は電磁石９６に吸着されることとなる。これにより、モータ８２への電力の供給が絶たれても、ブレーキの解除状態が維持されることとなる。
【００５７】
ここで、ボールナット９４は、モータ電源を遮断することにより、プリセットスプリング９４ｂとスプリング１０１との荷重によって決まる保持ブレーキ力作用位置（初期位置）に移動することとなる。
【００５８】
電磁石プレート９８が電磁石９６に吸着された後、モータ８２には、逆位相の電力が供給される。これにより、モータ８２は、逆回転で駆動し、ギアユニット８４を介して回動されるボールスクリュ９２も逆転方向（例えば左回転）へ回動することとなる。ボールスクリュ９２の逆転により、ボールナット９４は、電磁石９６から離間する方向へ、ナットホルダ９４ａと共に移動する。ボールナット９４を移動させた後、モータ８２への電力の供給を遮断する事で、プリセットスプリング９４ｂの力を受け。ナットホルダ９４ａを介してボールナット９４が初期位置まで押し戻される。
【００５９】
このような状態で電磁石９６への電力の供給が遮断されると、カム機構４２が作動ばね３６の力により押し戻される。これに伴い、ロッド６４も押し戻され、ロッド６４の端部が締結されている電磁石プレート９８は、ナットホルダ９４ａに当接することとなる。このように、電磁石９６により電磁石プレート９８を吸着保持した後、ボールナット９４を初期位置へと引き戻しておくことで、作動ばね３６の押圧力が負荷された際、モータギアユニット８０が作動抵抗になる事が無い。よって、ブレーキ作動時の応答性を良好に保つことができる。
【００６０】
アクチュエータの構成をこのようなものとしたディスクブレーキ装置１０Ｂであっても、上記第１、第２の実施形態に係るディスクブレーキ装置１０，１０Ａと同様な効果を得ることができる。
【符号の説明】
【００６１】
１０，１０Ａ，１０Ｂ………ディスクブレーキ装置、１２………キャリパボディ、１４………ボディ本体、１６………ブリッジ部、１６ａ………貫通孔、１８………爪部、２０………シリンダ、２２………支持部、２４………ケース、２６………ボア、２８………ピストン、３０………摺動部、３０ａ………貫通孔、３２………連動部、３２ａ………平坦面、３４………反力受け、３６………作動ばね、３８………アジャストピン、４０………調整ボルト、４２………カム機構、４４………カム部、４４ａ………ピン、４４ｂ………カム外周部、４６………レバー部、４８………摺動部材、５０………ピストン側パッド、５２………ライニング、５４………プレッシャプレート、５６………爪側パッド、５８………ライニング、６０………プレッシャプレート、６２………エアチャンバ、６４………ロッド、６６………サポート、７０………ロータ、８０………モータギアユニット、８２………モータ、８４………ギアユニット、８６………ケーシング、９０………ボールねじユニット、９２………ボールスクリュ、９４………ボールナット、９４ａ………ナットホルダ、９４ｂ………プリセットスプリング、９６………電磁石、９８………電磁石プレート、１００………ケーシング、１００ａ………ガイドスタッド、１０１………スプリング。
【図１】
2019203605.tif 000003
【図２】
2019203605.tif 000004
【図３】
2019203605.tif 000005
【図４】
2019203605.tif 000006
【図５】
2019203605.tif 000007
【図６】
2019203605.tif 000008
【図７】
2019203605.tif 000009
【図８】
2019203605.tif 000010
【図９】
2019203605.tif 000011
【図１０】
2019203605.tif 000012
【図１１】
2019203605.tif 000013
【図１２】
2019203605.tif 000014
【図１３】
2019203605.tif 000015